(57)【要約】【課題】付着した糊を清掃可能な状態にする。【解決手段】給送装置６０は、複数の用紙Ｐを積層方向下方から支持する第１支持面６１ａを有する第１支持部６１と、複数の用紙Ｐのうち最も上方に配置された用紙Ｐを給送する給送部６３と、第１支持部６１に支持された複数の用紙Ｐの給送方向の下流端部と当接しつつ用紙Ｐを支持可能な第２支持面６２ａを有する第２支持部６２とを含んでいる。第２支持部６２は、シュートカバー２ｂに係止されて位置付けられることで、第１支持部６１に支持された複数の用紙Ｐを第２支持面６２ａで支持するための支持位置と、シュートカバー２ｂとの係止が解除されることで、第２支持面６２ａを外部から清掃可能な清掃位置との間において移動可能に構成されている。【選択図】図３
2020055653.tif 000002
【特許請求の範囲】
【請求項１】
内部に搬送経路を有し、一部が可動となった装置筐体と、
前記搬送経路において記録媒体を搬送する搬送部と、
前記搬送部によって搬送されてきた記録媒体に画像を記録する記録部と、
前記装置筐体に固定され、前記搬送経路の途中部位から当該搬送経路に記録媒体を給送する給送装置とを備えた画像記録装置において、
前記給送装置は、
積層された複数の記録媒体を積層方向下方から支持可能な第１支持面を有する第１支持部と、
前記第１支持部に支持された複数の記録媒体のうち最も上方に配置された記録媒体を給送する給送部と、
前記第１支持部に支持された複数の記録媒体の給送方向の下流端部と当接しつつ記録媒体を支持可能な第２支持面を有する第２支持部とを有しており、
前記第２支持部は、前記装置筐体の前記一部に係止されて位置付けられることで、前記第１支持部に支持された複数の記録媒体を前記第２支持面で支持するための支持位置と、前記装置筐体の前記一部との係止が解除されることで、前記第２支持面で複数の記録媒体を支持不可能な位置であり、前記第２支持面を外部から清掃可能な清掃位置との間において移動可能に構成されていることを特徴とする画像記録装置。
【請求項２】
前記装置筐体の前記一部が、前記搬送経路の一部を画定する搬送ガイドを有するシュートカバーであり、
前記シュートカバーは、その下端部において、前記搬送経路における記録媒体の搬送方向と直交する方向の回転軸を中心として、回動可能に構成されており、
前記第２支持部は、前記回転軸と平行な回転軸を中心として回動可能に構成されていることを特徴とする請求項１に記載の画像記録装置。
【請求項３】
前記シュートカバーは、前記装置筐体のメインフレームに位置決めされた状態において、前記第２支持部を係止して前記支持位置に位置付けることを特徴とする請求項２に記載の画像記録装置。
【請求項４】
前記第２支持面には、前記給送部によって給送された記録媒体が重送したときに記録媒体を分離させるための分離部が設けられており、
前記シュートカバーは、前記第２支持部を前記支持位置に位置付けた状態において、前記第２支持部の前記分離部と鉛直方向に重なる部分と当接していることを特徴とする請求項２又は３に記載の画像記録装置。
【請求項５】
前記第１支持部に支持された複数の記録媒体の前記給送方向の下流端部と当接可能な当接面を有し、記録媒体の前記給送方向への移動を規制するための規制部材と、
前記当接面と前記第１支持面とがなす鈍角が前記第１支持面と前記第２支持面とがなす鈍角よりも小さくなるように前記当接面の少なくとも一部が前記第２支持面よりも上方に突出し記録媒体の前記給送方向への移動を規制する規制位置と前記当接面が前記第２支持面よりも上方に突出しない退避位置との間において前記規制部材を移動させる移動機構とをさらに備えており、
前記規制部材は、前記シュートカバーによる前記第２支持部の係止が解除されたときに、前記当接面で前記第１支持部に支持された複数の記録媒体を支持することを特徴とする請求項２〜４のいずれか１項に記載の画像記録装置。
【請求項６】
前記第２支持部と当接して前記第２支持部が前記支持位置にある状態を保持する保持位置と、前記第２支持部と離隔し前記第２支持部の保持を解除する解除位置との間において移動可能に構成された保持部材をさらに備えていることを特徴とする請求項２〜５のいずれか１項に記載の画像記録装置。
【請求項７】
内部に搬送経路を有し一部が可動となった装置筐体に固定され、前記搬送経路の途中部位から当該搬送経路に記録媒体を給送する給送装置において、
積層された複数の記録媒体を積層方向下方から支持可能な第１支持面を有する第１支持部と、
前記第１支持部に支持された複数の記録媒体のうち最も上方に配置された記録媒体を給送する給送部と、
前記第１支持部に支持された複数の記録媒体の給送方向の下流端部と当接しつつ記録媒体を支持可能な第２支持面を有する第２支持部とを有しており、
前記第２支持部は、前記装置筐体の前記一部に係止されて位置付けられることで、前記第１支持部に支持された複数の記録媒体を前記第２支持面で支持するための支持位置と、前記装置筐体の前記一部との係止が解除されることで、前記第２支持面で複数の記録媒体を支持不可能な位置であり、前記第２支持面を外部から清掃可能な清掃位置との間において移動可能に構成されていることを特徴とする給送装置。
【発明の詳細な説明】
【技術分野】
【０００１】
本発明は、記録媒体に画像を記録するための画像記録装置及び記録媒体を装置筐体の搬送経路に給送するための給送装置に関する。
【背景技術】
【０００２】
特許文献１には、複数のシート（記録媒体）を積載可能なシート積載面と、シート積載面に積載された複数のシートのうち、最も上方にあるシートを給送する給紙ローラと、シート積載面に積載された複数のシートの給送方向の下流端部を支持するとともに給紙ローラによって給送されるシートを分離させるための分離斜面とを含む給紙装置について記載されている。
【先行技術文献】
【特許文献】
【０００３】
【特許文献１】特開２００３−１７１０２７号公報
【発明の概要】
【発明が解決しようとする課題】
【０００４】
上記特許文献１に記載の給紙装置においては、分離斜面がシート積載面に積載された複数のシートの給送方向の下流端部を支持しているため、及び、搬送時にシートに当接するため、給送するシートとして、例えば、上質紙などの表面基材の裏面に糊（粘着剤）を介して剥離紙が貼り付けられてなるラベル紙（記録媒体）を採用した場合、分離斜面に表面基材と剥離紙間からはみ出た糊が付着することがある。このようにラベル紙の糊が分離斜面に付着した状態で、シートの給送を行うと、シートの先端が糊に引っかかってジャムが生じやすくなるという問題がある。
【０００５】
本発明の目的は、付着した糊を清掃可能な状態にすることが可能な画像記録装置及び給送装置を提供することである。
【課題を解決するための手段】
【０００６】
本発明の画像記録装置は、内部に搬送経路を有し、一部が可動となった装置筐体と、前記搬送経路において記録媒体を搬送する搬送部と、前記搬送部によって搬送されてきた記録媒体に画像を記録する記録部と、前記装置筐体に固定され、前記搬送経路の途中部位から当該搬送経路に記録媒体を給送する給送装置とを備えた画像記録装置において、前記給送装置は、積層された複数の記録媒体を積層方向下方から支持可能な第１支持面を有する第１支持部と、前記第１支持部に支持された複数の記録媒体のうち最も上方に配置された記録媒体を給送する給送部と、前記第１支持部に支持された複数の記録媒体の給送方向の下流端部と当接しつつ記録媒体を支持可能な第２支持面を有する第２支持部とを有しており、前記第２支持部は、前記装置筐体の前記一部に係止されて位置付けられることで、前記第１支持部に支持された複数の記録媒体を前記第２支持面で支持するための支持位置と、前記装置筐体の前記一部との係止が解除されることで、前記第２支持面で複数の記録媒体を支持不可能な位置であり、前記第２支持面を外部から清掃可能な清掃位置との間において移動可能に構成されている。
【０００７】
これによると、装置筐体の一部を、第２支持部と係止している状態から可動させてその係止を解除することで、第２支持部を支持位置から清掃位置に移動させることが可能となる。このため、記録媒体として、例えば、複数のラベル紙が給送装置にセットされ、ラベル紙の糊が第２支持部の第２支持面に付着したとしても、当該第２支持面を清掃位置で清掃可能となる。したがって、第２支持面に付着した糊によって記録媒体のジャムが生じるのを抑制することが可能となる。
【０００８】
本発明において、前記装置筐体の前記一部が、前記搬送経路の一部を画定する搬送ガイドを有するシュートカバーであり、前記シュートカバーは、その下端部において、前記搬送経路における記録媒体の搬送方向と直交する方向の回転軸を中心として、回動可能に構成されており、前記第２支持部は、前記回転軸と平行な回転軸を中心として回動可能に構成されていることが好ましい。これにより、第２支持部を支持位置に位置付ける位置にあるシュートカバーを回動させることで、第２支持部を回動させて清掃位置に移動させることが可能となる。
【０００９】
また、本発明において、前記シュートカバーは、前記装置筐体のメインフレームに位置決めされた状態において、前記第２支持部を係止して前記支持位置に位置付けることが好ましい。これにより、シュートカバーとの係止により支持位置に位置付けられた第２支持部の位置精度が向上する。
【００１０】
また、本発明において、前記第２支持面には、前記給送部によって給送された記録媒体が重送したときに記録媒体を分離させるための分離部が設けられており、前記シュートカバーは、前記第２支持部を前記支持位置に位置付けた状態において、前記第２支持部の前記分離部と鉛直方向に重なる部分と当接していることが好ましい。これにより、第２支持部が支持位置にあるときの分離部の位置精度が向上する。
【００１１】
また、本発明において、前記第１支持部に支持された複数の記録媒体の前記給送方向の下流端部と当接可能な当接面を有し、記録媒体の前記給送方向への移動を規制するための規制部材と、前記当接面と前記第１支持面とがなす鈍角が前記第１支持面と前記第２支持面とがなす鈍角よりも小さくなるように前記当接面の少なくとも一部が前記第２支持面よりも上方に突出し記録媒体の前記給送方向への移動を規制する規制位置と前記当接面が前記第２支持面よりも上方に突出しない退避位置との間において前記規制部材を移動させる移動機構とをさらに備えており、前記規制部材は、前記シュートカバーによる前記第２支持部の係止が解除されたときに、前記当接面で前記第１支持部に支持された複数の記録媒体を支持することが好ましい。これにより、シュートカバーによる第２支持部の係止が解除されて第２支持部が回動しても、複数の記録媒体を規制部材で支持することが可能となる。このため、記録媒体が脱落するのを抑制することが可能となる。
【００１２】
また、本発明において、前記第２支持部と当接して前記第２支持部が前記支持位置にある状態を保持する保持位置と、前記第２支持部と離隔し前記第２支持部の保持を解除する解除位置との間において移動可能に構成された保持部材をさらに備えていることが好ましい。これにより、シュートカバーによる第２支持部の係止が解除されても、保持部材を保持位置から解除位置に移動するまで、第２支持部が回動しない。
【００１３】
また、本発明の給送装置は、内部に搬送経路を有し一部が可動となった装置筐体に固定され、前記搬送経路の途中部位から当該搬送経路に記録媒体を給送する給送装置において、積層された複数の記録媒体を積層方向下方から支持可能な第１支持面を有する第１支持部と、前記第１支持部に支持された複数の記録媒体のうち最も上方に配置された記録媒体を給送する給送部と、前記第１支持部に支持された複数の記録媒体の給送方向の下流端部と当接しつつ記録媒体を支持可能な第２支持面を有する第２支持部とを有しており、前記第２支持部は、前記装置筐体の前記一部に係止されて位置付けられることで、前記第１支持部に支持された複数の記録媒体を前記第２支持面で支持するための支持位置と、前記装置筐体の前記一部との係止が解除されることで、前記第２支持面で複数の記録媒体を支持不可能な位置であり、前記第２支持面を外部から清掃可能な清掃位置との間において移動可能に構成されている。
【００１４】
これによると、装置筐体の一部を、第２支持部と係止している状態から可動させてその係止を解除することで、第２支持部を支持位置から清掃位置に移動させることが可能となる。このため、記録媒体として、例えば、複数のラベル紙が給送装置にセットされ、ラベル紙の糊が第２支持部の第２支持面に付着したとしても、当該第２支持面を清掃位置で清掃可能となる。したがって、第２支持面に付着した糊によって記録媒体のジャムが生じるのを抑制することが可能となる。
【発明の効果】
【００１５】
本発明の画像記録装置及び給送装置によると、装置筐体の一部を、第２支持部と係止している状態から可動させてその係止を解除することで、第２支持部を支持位置から清掃位置に移動させることが可能となる。このため、記録媒体として、例えば、複数のラベル紙が給送装置にセットされ、ラベル紙の糊が第２支持部の第２支持面に付着したとしても、当該第２支持面を清掃位置で清掃可能となる。したがって、第２支持面に付着した糊によって記録媒体のジャムが生じるのを抑制することが可能となる。
【図面の簡単な説明】
【００１６】
【図１】本発明の一実施形態に係るプリンタの内部構造を示す概略側面図である。
【図２】図１に示すII−II線に沿った矢視図である。
【図３】（ａ）は図１に示す第２支持部が支持位置にあるときの状況を示す説明図であり、（ｂ）は第２支持部が清掃位置にあるときの状況を示す説明図である。
【図４】図１に示すプリンタの制御装置のブロック図である。
【図５】本発明の一実施形態に係るプリンタの給送装置の変形例を示しており、（ａ）はシュートカバーが経路構成位置に、保持部材が保持位置にあるときの状況を示す説明図であり、（ｂ）はシュートカバーが開放位置に、保持部材が保持位置にあるときの状況を示す説明図であり、（ｃ）はシュートカバーが開放位置に、保持部材が解除位置にあるときの状況を示す説明図である。
【発明を実施するための形態】
【００１７】
以下、本発明の一実施形態に係るプリンタについて説明する。プリンタ（画像記録装置）１は、図１に示すように、複数の用紙（記録媒体）Ｐを積載して収容可能な給紙トレイ１０と、給紙トレイ１０に収容された複数の用紙Ｐのうち最上層の用紙Ｐを搬送経路Ｒに沿って搬送する搬送部２０と、用紙Ｐに記録を行う記録部３０と、記録部３０と対向するプラテン４０と、搬送部２０によって搬送された用紙Ｐを受容する排紙トレイ５０と、これらの構成要素を収容する装置筐体２と、装置筐体２に設けられた給送装置６０と、搬送部２０、記録部３０、給送装置６０等を制御する制御装置１００とを含む。記録部３０は、例えば、インクジェット記録方式の構成を有し、制御装置１００の制御により、搬送部２０によって搬送されてきた用紙Ｐに画像を記録する。プラテン４０は、搬送部２０によって搬送されてきた用紙Ｐを下方から支持する。
【００１８】
搬送部２０は、図１に示すように、給紙トレイ１０に収容された複数の用紙Ｐのうち最上層の用紙Ｐと接触するように配置された給紙ローラ１１と、アーム１２と、記録部３０に対して搬送経路Ｒの上流に配置されたローラ対２１と、記録部３０に対して搬送経路Ｒの下流に配置されたローラ対２２とを含む。給紙ローラ１１は、アーム１２の先端に軸支されている。アーム１２は、支軸１２ａに回動自在に支持され、バネなどにより付勢されて給紙ローラ１１が給紙トレイ１０に接触するように下側へ回動されている。また、アーム１２は、給紙トレイ１０の挿抜の際に上方へ退避可能に構成されている。給紙ローラ１１は、伝達機構（不図示）を介してＡＳＦモータ１３Ｍ（図４参照）の動力が伝達されて回転し、給紙トレイ１０内に積載された用紙Ｐが、搬送経路Ｒへと給送される。
【００１９】
給紙トレイ１０は、図１に示すように、斜壁部１０ａを有する。斜壁部１０ａは、給紙トレイ１０に載置される用紙Ｐが給紙ローラ１１によって給送されるときに、用紙Ｐを搬送経路Ｒに案内する。
【００２０】
ローラ対２１は、下側に配置された搬送ローラ２１ａと上側に配置されたピンチローラ２１ｂとを有する。搬送ローラ２１ａは、伝達機構（不図示）を介してＬＦモータ２１Ｍの動力が伝達されて回転する。ピンチローラ２１ｂは、搬送ローラ２１ａの回転に伴って連れ回る。搬送ローラ２１ａとピンチローラ２１ｂとは、協働して用紙Ｐを上下方向Ｂから挟持し、用紙Ｐを記録部３０へ搬送する。
【００２１】
ローラ対２２は、下側に配置された排紙ローラ２２ａと、上側に配置された拍車ローラ２２ｂとを有する。排紙ローラ２２ａは、伝達機構（不図示）を介してＬＦモータ２１Ｍの動力が伝達されて回転する。拍車ローラ２２ｂは、排紙ローラ２２ａの回転に伴って連れ回る。排紙ローラ２２ａと拍車ローラ２２ｂとは、協働して用紙Ｐを上下方向Ｂから挟持し、用紙Ｐを排紙トレイ５０に搬送する。
【００２２】
装置筐体２は、図１に示すように、メインフレーム２ａと、メインフレーム２ａに対して可動となったシュートカバー２ｂとを含む。メインフレーム２ａは、給紙トレイ１０、搬送部２０、記録部３０及び排紙トレイ５０などが取り付けられるフレームであり、各部を位置決めするものである。シュートカバー２ｂは、その下端部の回転軸２ｂ１を中心として、メインフレーム２ａに回動可能に支持されている。回転軸２ｂ１は、給紙ローラ１１によって搬送される用紙Ｐの給送方向Ｃ１（図１中矢印Ｃ１方向）と直交する方向に延在する。
【００２３】
また、装置筐体２は、図１に示すように、７つの搬送ガイド２３ａ〜２３ｇを有し、これら搬送ガイド２３ａ〜２３ｇ間に搬送経路Ｒが構成されている。搬送経路Ｒは、下方から上方に向かうに連れて右方へと湾曲する湾曲経路Ｒ１と、図１中左右方向Ａに沿って延在する直線経路Ｒ２とを有する。湾曲経路Ｒ１は、所定間隔で対向し内側に配置された搬送ガイド２３ａ及び外側に配置された搬送ガイド２３ｂ間に主に形成されている。搬送ガイド２３ａは、メインフレーム２ａに固定されている。搬送ガイド２３ｂは、装置筐体２のシュートカバー２ｂに形成されている。直線経路Ｒ２は、一対の搬送ガイド２３ｄ，２３ｅ間、及び、一対の搬送ガイド２３ｆ，２３ｇ間に形成されており、ローラ対２１からローラ対２２間に構成されている。一対の搬送ガイド２３ｄ，２３ｅは、ローラ対２１と記録部３０との間に配置されており、一対の搬送ガイド２３ｆ，２３ｇは、記録部３０とローラ対２２との間に配置されている。
【００２４】
また、シュートカバー２ｂは、図１及び図３（ａ）に示す位置であって搬送ガイド２３ａとの間に湾曲経路Ｒ１を構成する経路構成位置と、図３（ｂ）に示す位置であって湾曲経路Ｒ１を装置筐体２の外部に開放可能な開放位置との間において回動可能に構成されている。シュートカバー２ｂは、湾曲経路Ｒ１を精度良く構成するため、経路構成位置においては、メインフレーム２ａの係止部（不図示）により位置決めされる。
【００２５】
搬送ガイド２３ｃが、図１及び図３（ａ）に示すように、搬送ガイド２３ａの上方に配置されている。そして、湾曲経路Ｒ１の下流端部が、搬送ガイド２３ａと搬送ガイド２３ｃとで構成されている。また、湾曲経路Ｒ１の下流端部には、経路構成位置に位置付けられたシュートカバー２ｂの上面と搬送ガイド２３ｃとで構成された接続経路Ｒ３が接続されている。
【００２６】
給送装置６０は、図１に示すように、装置筐体２に固定され、接続経路Ｒ３を介して搬送経路Ｒの途中部位（湾曲経路Ｒ１の下流端部）から搬送経路Ｒに用紙Ｐを給送するものである。給送装置６０は、複数の用紙Ｐを支持する第１支持部６１及び第２支持部６２と、用紙Ｐを給送する給送部６３と、規制部材６６と、移動機構６７（図４参照）とを含む。第１支持部６１は、メインフレーム２ａに固定され、積層された複数の用紙Ｐを積層方向下方から支持するための第１支持面６１ａを有している。第１支持面６１ａは、図１に示すように、右方（接続経路Ｒ３側）が左方よりも下方に位置するように傾斜しており、複数の用紙Ｐを傾かせた状態で支持する。第２支持部６２は、第１支持部６１に支持された複数の用紙Ｐの給送方向Ｃ２（図１中矢印Ｃ２方向）の下流端部（用紙Ｐの前端）と当接しつつ用紙Ｐを支持するための第２支持面６２ａを有している。
【００２７】
第２支持部６２は、第１支持部６１の下端部において、給送方向Ｃ２（給送部６３によって用紙Ｐが給送される方向）と直交する方向に平行な回転軸６１ｂ（図１中回転軸２ｂ１と平行）を中心として回動可能に第１支持部６１に支持されている。第２支持部６２は、図１及び図３（ａ）に示す位置であって第１支持部６１に支持された複数の用紙Ｐを第２支持面６２ａで支持するための支持位置と、図３（ｂ）に示す位置であって第２支持面６２ａで複数の用紙Ｐを支持不可能な位置（すなわち、第２支持部６２が下方に垂れ下がるように回動した位置）であり、第２支持面６２ａを装置筐体２の外部から清掃可能な清掃位置との間において移動可能に構成されている。
【００２８】
第２支持部６２は、シュートカバー２ｂが経路構成位置に位置付けられているときに当該シュートカバー２ｂと当接して支持位置に位置付けられる。図２に示すように、シュートカバー２ｂの上面には、幅方向Ｄ（図２中左右方向）の中央に上方に突出した２つの突起２ｂ２が幅方向Ｄに沿って並んで形成されている。これら２つの突起２ｂ２は、図１及び図２に示すように、シュートカバー２ｂが経路構成位置に位置付けられているときに、第２支持部６２の下面であって第２支持部６２に設けられた後述の分離部６９と上下方向Ｂ（鉛直方向）に重なる部分と当接する。これにより、第２支持部６２が支持位置に位置付けられた状態となる。さらに、シュートカバー２ｂは、経路構成位置においてメインフレーム２ａに位置決めされた状態で、第２支持部６２を係止して支持位置に位置付けている。このため、シュートカバー２ｂとの係止により支持位置に位置付けられた第２支持部６２の位置精度が向上する。また、このとき、突起２ｂ２が、第２支持部６２の分離部６９と上下方向Ｂに重なる部分と当接する。このように、位置決め状態の要求精度が比較的高い位置である経路構成位置に位置付けられたシュートカバー２ｂの突起２ｂ２が、第２支持部６２の分離部６９と上下方向Ｂに重なる部分と当接しているため、分離部６９の位置精度も向上する。このため、給送部６３によって給送される用紙Ｐに対して所定の搬送抵抗が付与され、用紙Ｐの重送を効果的に抑制することが可能となる。
【００２９】
第２支持部６２の第２支持面６２ａには、分離部６９が設けられている。分離部６９は、給送部６３によって給送される用紙Ｐの前端部分の裏側に当接して用紙Ｐに所定の搬送抵抗（用紙Ｐがジャムしない程度の搬送抵抗）を付与し、用紙Ｐが重送したときに用紙Ｐを分離させるためのものである。本実施形態における分離部６９は、第２支持面６２ａにおける摩擦抵抗よりも高い高摩擦部材から構成されているが、用紙Ｐに所定の搬送抵抗を付与することが可能であれば、どのような構成であってもよい。分離部６９は、例えば、第２支持面６２ａから若干上方に突出した位置と第２支持面６２ａから突出しない位置に変位可能に構成されていてもよい。また、分離部６９は、どのような材質から構成されていてもよい。分離部６９は、図２に示すように、第２支持面６２ａの幅方向Ｄの中央に配置されている。また、分離部６９は、図３（ａ）に示すように、給送方向Ｃ２において、後述の規制位置に配置された規制部材６６の当接面６６ａ１と第２支持面６２ａとの交点Ｇよりも下流に配置されている。また、分離部６９は、経路構成位置に位置付けられたシュートカバー２ｂの２つの突起２ｂ２と上下方向Ｂに重なる位置に配置されている。
【００３０】
規制部材６６は、図２及び図３（ａ）に示すように、一方向に延在する長尺な一対の角柱部材６６ａからなる。一対の角柱部材６６ａは、図２に示すように、第２支持部６２に形成された一対の溝６２ｂに配置されている。一対の溝６２ｂは、第２支持面６２ａに沿って図１中左右方向Ａに延在しており、幅方向Ｄにおいて分離部６９を挟む位置に配置されている。一対の溝６２ｂは、その開口が第２支持面６２ａに形成されており、各角柱部材６６ａの上面であって用紙Ｐと当接可能な当接面６６ａ１が当該開口から出入り可能に構成されている。より詳細には、規制部材６６の一対の角柱部材６６ａは、第１支持部６１の溝６２ｂと対向する部分から溝６２ｂに向かって突出する突出支持部６１ｃで支持されており、図３（ａ）に示すように、角柱部材６６ａの延在方向の中央よりも給送方向Ｃ２の下流側部分の当接面６６ａ１が溝６２ｂの開口から上方に突出した規制位置と、当該角柱部材６６ａの当接面６６ａ１が第２支持面６２ａよりも上方に突出しない退避位置との間において移動可能に構成されている。規制位置では、第２支持面６２ａよりも上方に突出した部分の当接面６６ａ１と第１支持面６１ａとがなす鈍角θ１が、第２支持部６２が支持位置に位置付けられたときの第２支持面６２ａと第１支持面６１ａとがなす鈍角θ２よりも小さくなり、用紙Ｐの給送方向Ｃ２への移動が規制される。一方、退避位置では、当接面６６ａ１の第２支持面６２ａよりも上方への突出がなくなるので、用紙Ｐの給送方向Ｃ２への移動規制が解除される。
【００３１】
移動機構６７は、給送モータ６３Ｍの駆動力により、規制部材６６の一対の角柱部材６６ａを移動させるものである。つまり、移動機構６７は、第１支持部６１の突出支持部６１ｃに回動可能に支持された各角柱部材６６ａを回動させるものである。より詳細には、移動機構６７は、複数のギアなどの噛み合わせなどで構成された動力伝達機構であり、給送ローラ６４を正回転させる際の給送モータ６３Ｍの回転方向の回転力（駆動力）により、規制部材６６を規制位置から退避位置に移動させるように構成されている。また、移動機構６７は、給送ローラ６４を逆回転させる際の給送モータ６３Ｍの回転方向の回転力（駆動力）により、規制部材６６を退避位置から規制位置に移動させるように構成されている。なお、移動機構６７は、給送モータ６３Ｍの駆動力により、規制部材６６を移動させることが可能な構成であれば、どのような構成であってもよい。
【００３２】
給送部６３は、第１支持面６１ａで支持された複数の用紙Ｐのうち最上層の用紙Ｐと接触するように配置された給送ローラ６４と、アーム６５とを含む。給送ローラ６４は、アーム６５の先端に軸支されている。アーム６５は、支軸６５ａに回動自在に支持され、バネなどにより付勢されて給送ローラ６４が第１支持面６１ａに近づく方向へと回動されている。給送ローラ６４は、伝達機構（不図示）を介して給送モータ６３Ｍ（図４参照）の動力が伝達されて正回転し、第１支持面６１ａ及び第２支持面６２ａで支持された用紙Ｐが、接続経路Ｒ３を介して搬送経路Ｒへと給送される。
【００３３】
図４に示すように、制御装置１００は、ＣＰＵ（Central Processing Unit）、ＲＯＭ（Read Only Memory）、ＲＡＭ（Random Access Memory）、ＡＳＩＣ（Application Specific Integrated Circuit）などを含み、これらが協働して、ＡＳＦモータ１３Ｍ、ＬＦモータ２１Ｍ、記録部３０、給送モータ６３Ｍ等の動作を制御する。例えば、制御装置１００は、ＰＣから送信された記録指令に基づいて、給送装置６０から用紙Ｐを給送する場合、給送ローラ６４を正回転（用紙Ｐを給送方向Ｃ２に給送する回転方向）させるように給送モータ６３Ｍを制御する。このとき、移動機構６７により、規制部材６６が規制位置から退避位置に移動し用紙Ｐを給送方向Ｃ２に給送可能となり、給送ローラ６４と接触する用紙Ｐが給送方向Ｃ２に給送される。また、このとき、制御装置１００は、ＬＦモータ２１Ｍ、記録部３０も制御し、用紙Ｐを直線経路Ｒ２で搬送しつつ用紙Ｐに画像などを記録させる記録動作が行われる。なお、制御装置１００は、今回給送する用紙Ｐをすべて給送ローラ６４で送り出し、最後に給送される用紙Ｐの後端が給送ローラ６４を抜けた後に、給送ローラ６４を逆回転させるように給送モータ６３Ｍを制御する。これにより、規制部材６６が移動機構６７により、退避位置から規制位置に移動し、用紙Ｐの給送方向Ｃ２への移動が規制される。
【００３４】
続いて、第２支持部６２の第２支持面６２ａを清掃する際の動作について、図３を参照しつつ以下に説明する。図３（ａ）に示すように、通常、シュートカバー２ｂは経路構成位置に配置され、当該シュートカバー２ｂとの係止により、第２支持部６２が支持位置に位置付けられている。これにより、プリンタ１で印刷などが可能となる。第２支持面６２ａを清掃するメンテナンスを行う場合、ユーザが、図３（ｂ）に示すように、シュートカバー２ｂを経路構成位置から開放位置へと回動させる。これにより、シュートカバー２ｂによる第２支持部６２の係止が解除され、第２支持部６２が下方に垂れ下がるように回動する。つまり、第２支持部６２が、回動軸６１ｂを中心として、支持位置から清掃位置に回動する。このようにシュートカバー２ｂを回動させるだけで、第２支持部６２が清掃位置に配置されるため、ユーザが装置筐体２の外部から、第２支持部６２と搬送ガイド２３ａとの間に手を入れて、第２支持面６２ａに付着した異物（糊など）を布などで拭き取ることが可能となる。こうして第２支持面６２ａを清掃することができる。
【００３５】
また、規制部材６６は、シュートカバー２ｂを経路構成位置から開放位置に回動させても、通常、規制位置に位置付けられている。このため、図３（ｂ）に示すように、シュートカバー２ｂの回動に伴って第２支持部６２が清掃位置に回動しても、第２支持面６２ａで支持されている複数の用紙Ｐが規制部材６６（角柱部材６６ａ）の当接面６６ａ１により、支持される。つまり、複数の用紙Ｐが、第１支持面６１ａ及び当接面６６ａ１により支持される。これにより、複数の用紙Ｐを第２支持面６２ａで支持した状態で、シュートカバー２ｂを回動させて第２支持部６２を清掃位置に回動させても、複数の用紙Ｐが脱落するのを抑制することが可能となる。
【００３６】
なお、シュートカバー２ｂは、開放位置から経路構成位置に回動させて戻す際に、その一部（搬送ガイド２３ｂの搬送方向下流端から突起に亘る部分）が第２支持部６２に順次当接し、回転軸６１ｂを中心として第２支持部６２を回動させることが可能となる。つまり、シュートカバー６２を開放位置から経路構成位置に戻すだけで、第２支持部６２を清掃位置から支持位置に戻すことが可能となる。
【００３７】
以上に述べたように、本実施形態のプリンタ１及び給送装置６０によると、シュートカバー２ｂを、第２支持部６２と係止している状態から回動させてその係止を解除することで、第２支持部６２を支持位置から清掃位置に回動させることが可能となる。このため、用紙Ｐとして、例えば、複数のラベル紙が給送装置６０にセットされ、ラベル紙の糊が第２支持部６２の第２支持面６２ａに付着したとしても、当該第２支持面６２ａを清掃位置で清掃しやすくなる。したがって、第２支持面６２ａに付着した糊によって用紙Ｐのジャムが生じるのを抑制することが可能となる。
【００３８】
第２支持部６２が装置筐体２の一部であるシュートカバー２ｂに係止されることで、支持位置に位置付けられているため、シュートカバー２ｂを経路構成位置から開放位置に回動させることで、第２支持部６２を回動させて清掃位置に移動させることが可能となる。
【００３９】
変形例として、図５に示すように、シュートカバー２ｂとは別に、第２支持部６２を保持可能な保持機構８０を有していてもよい。保持機構８０は、一対の保持部材８１と、一対のバネ８２とを含む。各保持部材８１は、幅方向Ｄに沿って延在した棒形状を有し、幅方向Ｄに移動可能にメインフレーム２ａの水平面２ａ１に支持されている。一対の保持部材８１及びバネ８２は、幅方向Ｄに沿って左右に分かれて配置されている。また、保持部材８１は、図５（ａ）に示す位置であって、幅方向Ｄにおいて、その内側端部が上下方向Ｂに沿って第２支持部６２と重なり、第２支持部６２を下方から保持可能な保持位置と、図５（ｃ）に示す位置であって、保持部材８１の内側端部が上下方向Ｂに沿って第２支持部６２と重ならず、その全体が水平面２ａ１と重なり第２支持部６２と離隔して第２支持部６２の保持を解除する解除位置との間に移動可能に構成されている。
【００４０】
バネ８２は、幅方向Ｄに沿って延在しており、その外側端部が水平面２ａ１に下方に突出して形成された固定部２ａ２に固定されており、内側端部が保持部材８１に固定されている。これにより、保持部材８１がバネ８２により、解除位置から保持位置に向かって付勢されている。
【００４１】
この変形例において、第２支持部６２を支持位置から清掃位置に回動させる場合、まず、シュートカバー２ｂを経路構成位置から開放位置に回動させる。これにより、図５（ｂ）に示すように、第２支持部６２の幅方向Ｄの両端部が下方から一対の保持部材８１だけにより保持された状態となる。この後、第２支持部６２の第２支持面６２ａを清掃するときだけ、図５（ｃ）に示すように、ユーザが保持部材８１をバネ８２の付勢力に抗して外側に移動させる。これにより、第２支持部６２が下方に垂れ下がるように回動可能となる。つまり、第２支持部６２が支持位置から清掃位置に回動する。
【００４２】
この変形例においても、上述の実施形態と同様に、第２支持部６２を支持位置から清掃位置に回動させることが可能となるため、第２支持面６２ａを清掃位置で清掃可能となる。したがって、第２支持面６２ａに付着した糊によって用紙Ｐのジャムが生じるのを抑制することが可能となる。また、保持部材８１を有していることで、シュートカバー２ｂによる第２支持部６２の係止が解除されても、保持部材８１を保持位置から解除位置に移動するまで、第２支持部６２が回動しない。この場合、例えば、規制部材６６が設けられていなくても、シュートカバー２ｂを開放位置に回動させただけでは、第２支持部６２が清掃位置に回動しないため、給送装置６０に複数の用紙Ｐがセットされていても、脱落することがなくなる。
【００４３】
なお、上述の変形例においては、保持機構８０がバネ８２を有しているが、保持部材８１が保持位置と解除位置との間において移動可能に構成されておれば、保持部材８１だけから構成されていてもよい。この場合、ユーザが、保持部材８１を保持位置と解除位置との間において適宜移動させることで、第２支持部６２の保持及び保持の解除を選択的に行うことが可能となる。
【００４４】
以上、本発明の好適な実施の形態について説明したが、本発明は上述の実施の形態に限られるものではなく、特許請求の範囲に記載した限りにおいて様々な変更が可能なものである。例えば、第２支持部６２は、支持位置にあるときに装置筐体２の可動となった一部に係止され、当該一部を可動させてその係止を解除すると、第２支持部６２を水平方向や第２支持部６２が支持位置にあるときの第２支持面６２ａの面内方向などに、回動させずに移動させることが可能に構成されていてもよい。また、第２支持部６２は、図１中左側端部を中心として回動可能に構成されているが、これ以外の部分（例えば、中央や反対側（搬送ガイド２３ｃ側）の端部）を中心として回動可能に構成されていてもよい。
【００４５】
上述の実施形態及び変形例においては、支持位置にある第２支持部６２とシュートカバー２ｂとが係止可能に構成されているが、装置筐体２の可動部であれば、シュートカバー２ｂ以外の部位と係止可能に構成されていてもよい。また、分離部６９が設けられていなくてもよい。規制部材６６や移動機構６７が設けられていなくてもよい。
【００４６】
また、記録部３０は、インクジェット式、サーマル式、レーザー式等であってよい。本発明は、プリンタに限定されず、ファクシミリ、コピー機、複合機等にも適用可能である。記録媒体は、用紙に限定されず、ラベル紙等であってもよい。
【符号の説明】
【００４７】
１  プリンタ（画像記録装置）
２  装置筐体
２ａ  メインフレーム
２ｂ  シュートカバー
２ｂ１  回転軸
２０  搬送部
２３ｂ  搬送ガイド
３０  記録部
６０  給送装置
６１  第１支持部
６１ａ  第１支持面
６１ｂ  回転軸
６２  第２支持部
６２ａ  第２支持面
６３  給送部
６６  規制部材
６６ａ１  当接面
６７  移動機構
６９  分離部
８１  保持部材
Ｐ  用紙（記録媒体）
Ｒ  搬送経路
【図１】
2020055653.tif 000003
【図２】
2020055653.tif 000004
【図３】
2020055653.tif 000005
【図４】
2020055653.tif 000006
【図５】
2020055653.tif 000007